(57)【要約】【課題】構成部品を大幅に変更することなく、昇降路寸法の拡大防止を図ることのできるエレベータ装置の提供。【解決手段】昇降路の平断面内の１つの壁面に略平行に配置された薄形の巻上機９を支持する取付枠１４を、上枠１４ａ、下枠１４ｂおよび側枠１４ｃ、１４ｄで井桁状に組み立てるとともに、側枠１４ｃ、１４ｄを巻上機幅より内側に配置し、巻上機９の幅寸法より取付枠１４の幅寸法を小さなものとした。また、側枠１４ｃ、１４ｄの断面形状を、略Ｌ字状とするとともに、この略Ｌ字状の側枠の一辺を巻上機固定部１７とシーブ９ａとの間に配置し、取付枠１４の厚さ寸法を巻上機９の厚さ寸法より小さなものとすることを可能とした。【選択図】図２
2010254468.tif 000002
【特許請求の範囲】
【請求項１】
昇降路内を昇降するかごおよびカウンターウェイトと、前記かごおよび前記カウンターウェイトの昇降を案内するガイドレールと、前記かごおよび前記カウンターウェイトを懸架するロープと、前記昇降路内にあって昇降路最下階フロアレベル付近にあり、かつ、前記昇降路の平断面内の１つの壁面に略平行に配置された薄形の巻上機と、この巻上機を支持する取付枠とを有するエレベータにおいて、
前記取付枠を、上枠、下枠および側枠で井桁状に組み立てるとともに、前記側枠を前記巻上機幅より内側に配置したことを特徴とするエレベータ装置。
【請求項２】
前記側枠は、略Ｌ字状の断面形状を有するとともに、この側枠の一辺を巻上機固定部とシーブとの間に配置したことを特徴とする請求項１記載のエレベータ装置。
【発明の詳細な説明】
【技術分野】
【０００１】
本発明は、エレベータ装置に係り、特に、昇降路内のスペースを利用して巻上機を設置した機械室レスのエレベータの巻上機支持構造に関する。
【背景技術】
【０００２】
近年、建物の利用効率を高めるため、昇降路内のスペースを利用して巻上機や制御盤などを設置するエレベータ、いわゆる機械室レスエレベータとして、昇降路内を昇降するかごと、このかごと対向方向に移動するカウンターウェイトと、かごおよびカウンターウェイトの昇降を案内するガイドレールと、かごおよびカウンターウェイトを懸架するロープと、昇降路内にあって昇降路最下階フロアレベル付近にあり、かつ、昇降路の平断面内の１つの壁面に平行に配置された薄形の巻上機とから構成したものが提案され一部実用化されている。そして、前述した巻上機の支持として、機械台により防振ゴムを介して巻上機台を吊り下げ、巻上機台に巻上機を固定するもの（例えば、特許文献１参照）、或いは、巻上機を固定する固定台をロ字状に組み立てガイドレールに移動可能に固定したものがある（例えば、特許文献２参照）。
【先行技術文献】
【特許文献】
【０００３】
【特許文献１】特開２００５−２３１７７０（段落番号００１３、図３）
【特許文献２】特開２００６−５２０７６（段落番号００１３、図２）
【発明の概要】
【発明が解決しようとする課題】
【０００４】
しかしながら、引用文献１に記載のものでは、吊り下げた固定台の上に巻上機を載せた後、巻上機を固定する構造としているため、巻上機の外側に吊り下げ部材を通さなければならず、巻上機幅に加え、吊り下げ部材の幅寸法が必要となり、昇降路寸法が拡大するという問題があった。
【０００５】
一方、引用文献２に記載のものでは、固定台を、上枠、下枠および側枠でロ字状に組み立てるとともに、上枠と下枠のそれぞれの一端をガイドレールに移動可能に固定し、かつ、下枠をテンションロッドによってピットベースに固定した構成であるが、巻上機に対する側枠の配置は特に限定されておらず、側枠が巻上機の外側に配置された場合、特許文献１と同様に巻上機幅に加え、側枠の幅寸法が必要となる。また、固定台の厚さ寸法を低減するための特別な配慮はなされておらず、したがって、昇降路寸法が拡大するという問題があった。
【０００６】
本発明は、上述した従来技術における実状からなされたもので、その目的は、構成部品を大幅に変更することなく、昇降路寸法の拡大防止を図ることのできるエレベータ装置を提供することにある。
【課題を解決するための手段】
【０００７】
前記目的を達成するために、本発明の請求項１に係る発明は、昇降路内を昇降するかごおよびカウンターウェイトと、前記かごおよび前記カウンターウェイトの昇降を案内するガイドレールと、前記かごおよび前記カウンターウェイトを懸架するロープと、前記昇降路内にあって昇降路最下階フロアレベル付近にあり、かつ、前記昇降路の平断面内の１つの壁面に略平行に配置された薄形の巻上機と、この巻上機を支持する取付枠とを有するエレベータにおいて、前記取付枠を、上枠、下枠および側枠で井桁状に組み立てるとともに、前記側枠を前記巻上機幅より内側に配置したことを特徴としている。
【０００８】
このように構成した本発明の請求項１に係る発明では、巻上機を支持する取付枠を、上枠、下枠および側枠で井桁状に組み立てるとともに、側枠を巻上機幅より内側に配置することで、巻上機の幅寸法より取付枠の幅寸法を小さなものとすることができ、これによって、構成部品を大幅に変更することなく、昇降路寸法の拡大防止を図ることができる。
【０００９】
また、本発明の請求項２に係る発明は、前記側枠は、略Ｌ字状の断面形状を有するとともに、この側枠の一辺を巻上機固定部とシーブとの間に配置したことを特徴としている。
【００１０】
このように構成した本発明の請求項１に係る発明では、側枠の断面形状を略Ｌ字状とすることで、側枠としての強度を確保しつつ、L字状の側枠の一辺を巻上機固定部とシーブとの間に配置することで、側枠を巻上機の厚さ寸法内に収めることを可能とした。
【発明の効果】
【００１１】
本発明によれば、側枠を巻上機幅より内側に配置することで、巻上機の幅寸法より取付枠の幅寸法を小さなものとすることができるとともに、L字状の側枠の一辺を巻上機固定部とシーブとの間に配置することで、側枠を含む取付枠の厚さ寸法を巻上機の厚さ寸法より小さなものとすることを可能とし、これによって、昇降路寸法の拡大を必要とすることがない昇降路機器配置計画が可能となる。また、取付枠は、上枠と下枠および側枠で構成されるものであることから、従来のものと比べ構成部品の大幅な変更を要することがなく、したがって、コスト向上を招くことがない。
【図面の簡単な説明】
【００１２】
【図１】本発明のエレベータ装置である機械室レスエレベータの全体概略構成図である。
【図２】本発明の巻上機支持装置の一実施形態を示す要部拡大正面図である。
【図３】本実施形態における巻上機支持装置の側面図である。
【図４】本実施形態における巻上機支持装置の上面図である。
【発明を実施するための形態】
【００１３】
以下、本発明に係るエレベータ装置の実施形態を図に基づいて説明する。
【実施例１】
【００１４】
機械室レスのエレベータは、図１に示すように、昇降路１内を昇降するかご２と、このかご２の昇降を案内するかご用ガイドレール３と、かご２と対向方向に移動するカウンターウェイト４と、このカウンターウェイト４の昇降を案内するおもり用ガイドレール５ａ、５ｂと、ガイドレール３、５ａ、５ｂの頂部に固定された吊りビーム６と、この吊りビーム６に取付けられるプーリ７、８と、昇降路１の平断面内の１つの壁面に略平行に配置され、シーブ９ａを備えた薄型の巻上機９と、かご２の下方に設けられたかご下プーリ１０と、カウンターウェイト４の上部に設けられたおもり上プーリ１１と、一端がロープ端固定装置１２ａを介してガイドレール３と対面し、かご２にを案内するガイドレール（図示せず）に固定されるとともに、他端がロープ端固定装置１２ｂを介して吊りビーム６に固定され、かつ、その中間部が、かご下プーリ１０、プーリ７、シーブ９ａ、プーリ８およびおもり上プーリ１１に巻き掛けられ、巻上機９の駆動によるシーブ９ａの回転で移動してかご２およびカウンターウェイト４を上下に昇降させるロープ１３とを備えている。なお、Ａは最上階フロアレベル、Ｂは最下階フロアレベルである。
【００１５】
そして、本実施例１の巻上機支持装置は、図２〜図４にも示すように、上枠１４ａ、下枠１４ｂおよび側枠１４ｃ、１４ｄを井桁状に組み立てて成り、巻上機９が装着される取付枠１４と、一端が取付枠１４の下枠１４ｂに、他端がピットベース１５に図示しない固定ナットによって固定されたテンションロッド１６ａ、１６ｂと、巻上機固定部１７にあって巻上機９と取付枠１４との間に介設され、巻上機９の振動を吸振する防振ゴム１８とを備えている。
【００１６】
取付枠１４は、図２および図４に示すように、その側枠１４ｃ、１４ｄが巻上機幅より内側に配置されている。また、側枠１４ｃ、１４ｄは、略Ｌ字状の断面形状を有する鋼材で形成されるとともに、図４に示すように、L字状の側枠１４ｃ、１４ｄの一辺を巻上機固定部１７とシーブ９ａとの間に配置するようになっている。
【００１７】
テンションロッド１６ａ、１６ｂは、図１に示すように、側枠１４c、１４dの延長上で、かつ、巻上機９の荷重中心点下方に位置するように設けられている。
【００１８】
本実施形態によれば、側枠１４ｃ、１４ｄを巻上機幅より内側に配置することで、巻上機９の幅寸法ｈ１より取付枠１４の幅寸法ｈ２を小さなものとすることができる。また、L字状の側枠１４ｃ、１４ｄの一辺を巻上機固定部１７とシーブ９ａとの間に配置することで、側枠１４ｃ、１４ｄを含む取付枠１４の厚さ寸法ｈ３を巻上機９の厚さ寸法ｈ４より小さなものとすることができる。これによって、昇降路寸法の拡大を必要とすることがない昇降路機器配置計画が可能となる。さらに、取付枠１４は、上枠１４ａ、下枠１４ｂおよび側枠１４ｃ、１４ｄで構成されるものであることから、従来のものと比べ構成部品の大幅な変更を要することがなく、したがって、コスト向上を招くことがない。更にまた、テンションロッド１６ａ、１６ｂは、側枠１４c、１４dの延長上で、かつ、巻上機９の荷重中心点下方に位置するように設けられていることから、安定した巻上機９の支持が可能である。また、テンションロッド１６ａ、１６ｂを介して巻上機９を支持する構造とすることで、エレベータ据付時、巻上機９の上下方向調整が必要になった場合、テンションロッド１６ａ、１６ｂを上下に移動することで容易にその調整を行なうことができる。
【符号の説明】
【００１９】
１  昇降路
２  かご
３  かご用ガイドレール
４  カウンターウェイト
５ａ、５ｂ  おもり用ガイドレール
６  吊りビーム
７、８  プーリ
９  巻上機
９ａ  シーブ
１０  かご下プーリ
１１  おもり上プーリ
１２ａ、１２ｂ  ロープ端固定装置
１３  ロープ
１４  取付枠
１４ａ  上枠
１４ｂ  下枠
１４ｃ、１４ｄ  側枠
１５  ピットベース
１６ａ、１６ｂ  テンションロッド
１７  巻上機固定部
１８  防振ゴム
ｈ１  巻上機９の幅寸法
ｈ２  取付枠１４の幅寸法
ｈ３  取付枠１４の厚さ寸法
ｈ４  巻上機９の厚さ寸法
【図２】
2010254468.tif 000003
【図３】
2010254468.tif 000004
【図４】
2010254468.tif 000005
【図１】
2010254468.tif 000006